【手続補正書】
【提出日】平成19年11月8日(2007.11.8)
【手続補正１】
【補正対象書類名】明細書
【補正対象項目名】特許請求の範囲
【補正方法】変更
【補正の内容】
【特許請求の範囲】
【請求項１】  第１のプロトコルに従って第１の無線ネットワークの第１の他の装置へ／から信号を送信／受信する無線トランシーバと、
第２の無線ネットワークの第２の他の装置が第２のプロトコルに従って送信した信号を受信する無線受信機と、
上記無線トランシーバ及び受信機に結合され、上記第２の無線ネットワークの上記第２の他の装置から受信した上記信号の１つのシグナリング特性に少なくとも部分的に基づいて上記無線トランシーバの動作を制御し、上記第２の無線ネットワークの上記第２の他の装置との混信を減少させるコントローラマネージャと、
を備えていることを特徴とする装置。
【請求項２】  上記第２のプロトコルは、擬似ランダムパターンに従って使用される複数の周波数からなる周波数ホッピングプロトコルであり、上記コントローラマネージャは、上記第２の他の装置から受信した上記信号を使用して上記擬似ランダム周波数ホッピングパターンを確認するロジックを含むことを特徴とする請求項１に記載の装置。
【請求項３】  上記コントローラマネージャは、上記確認された擬似ランダム周波数ホッピングパターンに基づいて上記第２の無線ネットワークの上記第２の他の装置との混信が発生するであろう時点を予測するロジックを更に含むことを特徴とする請求項２に記載の装置。
【請求項４】  上記第２のプロトコルは、定周波数プロトコルであり、上記コントローラマネージャは、上記第２の他の装置から受信した信号を使用して上記定周波数を確認するロジックを含むことを特徴とする請求項１に記載の装置。
【請求項５】  上記コントローラマネージャは、上記確認された定周波数に基づいて上記第２の無線ネットワークの上記第２の他の装置との混信が発生するであろう時点を予測するロジックを更に含むことを特徴とする請求項４に記載の装置。
【請求項６】  上記コントローラマネージャは、混信の発生が予測される場合、上記無線トランシーバの動作を中断させて上記第２の無線ネットワークの上記第２の他の装置との混信を回避するロジックを更に含むことを特徴とする請求項１に記載の装置。
【請求項７】  上記コントローラマネージャは、混信の発生が予測される場合、フィルタリングの使用を決定して上記第２の他の装置からの混信信号を打ち消すロジックを更に含むことを特徴とする請求項１に記載の装置。
【請求項８】  上記コントローラマネージャは、上記第２の他の装置の送信信号に従って逆向きに形成されているノッチフィルタを決定するロジックを含むことを特徴とする請求項７に記載の装置。
【請求項９】  上記コントローラマネージャは、混信の発生が予測される場合、上記フィルタリングを使用して上記第２の無線ネットワークの上記第２の他の装置の混信信号を打ち消すロジックを含むことを特徴とする請求項７に記載の装置。
【請求項１０】  上記コントローラマネージャは、混信の発生が予測されることを、１つまたはそれ以上の上記第１の他の装置に予め通知するロジックを更に含むことを特徴とする請求項１に記載の装置。
【請求項１１】  上記コントローラマネージャは、上記第２の他の装置との混信を回避するために上記第１の他の装置の選択された１つが動作を中断していること、及び上記第２の他の装置からの混信信号を打ち消すためにフィルタリングを適用していることを、１つまたはそれ以上の上記第１の他の装置に予め通知するロジックを更に含むことを特徴とする請求項１０に記載の装置。
【請求項１２】  上記コントローラマネージャは、上記第２の他の装置との混信の発生が予測されることを予め通知するように、上記第１の他の装置の１つに要求するロジックを更に含むことを特徴とする請求項１に記載の装置。
【請求項１３】  上記第１のプロトコルは、ＩＥＥＥ８０２．１１（ａ）、ＩＥＥＥ８０２．１１（ｂ）、及びホームＲＦからなる１９９９年１１月１２日以前に採用された基準のグループから選択されたプロトコルであり、上記第２のプロトコルは、１９９９年１１月１２日以前に採用されたブルートゥースプロトコルであることを特徴とする請求項１に記載の装置。
【請求項１４】  上記第１のプロトコルは、１９９９年１１月１２日以前に採用されたブルートゥースプロトコルであり、上記第２のプロトコルは、ＩＥＥＥ８０２．１１（ａ）、ＩＥＥＥ８０２．１１（ｂ）、及びホームＲＦからなる１９９９年１１月１２日以前に採用された基準のグループから選択されたプロトコルであることを特徴とする請求項１に記載の装置。
【請求項１５】  無線トランシーバ及び無線受信機を有する無線装置を動作させる方法であって、
（ａ）第１の無線ネットワークの第１の他の装置から第１のプロトコルに従って送信された信号を受信するステップと、
（ｂ）上記第１の他の装置から受信した上記信号の少なくとも１つのシグナリング特性を決定して、決定された少なくとも１つのシグナリング特性に基づいて、上記第１のプロトコルによる送信と第２のプロトコルによる送信との混信を予測するステップと、
（ｃ）上記第１の他の装置から受信した上記信号の上記少なくとも１つの決定されたシグナリング特性に基づいて、第２のプロトコルに従って第２の無線ネットワークの第２の他の装置へ／から信号を送信／受信するように無線トランシーバを動作させ、近接して位置する上記第１の無線ネットワークの上記第１の他の装置との上記予測した混信を減少させるステップと、
を含むことを特徴とする方法。
【請求項１６】  上記第１のプロトコルは、擬似ランダムパターンに従って使用される複数の周波数からなる周波数ホッピングプロトコルであり、上記方法は、上記第１の他の装置から受信した上記信号を使用して上記擬似ランダム周波数ホッピングパターンを確認するステップを更に含むことを特徴とする請求項１５に記載の方法。
【請求項１７】  上記方法は、上記確認された擬似ランダム周波数ホッピングパターンに基づいて上記第１の無線ネットワークの上記第１の他の装置との混信が発生するであろう時点を予測するステップを更に含むことを特徴とする請求項１６に記載の方法。
【請求項１８】  上記第１のプロトコルは定周波数プロトコルであり、上記方法は、上記第１の他の装置から受信した上記信号を使用して上記定周波数を確認するステップを更に含むことを特徴とする請求項１５に記載の方法。
【請求項１９】  上記方法は、上記確認された定周波数に基づいて上記第１の無線ネットワークの上記第１の他の装置との混信が発生するであろう時点を予測するステップを更に含むことを特徴とする請求項１８に記載の方法。
【請求項２０】  上記方法は、混信の発生が予測される場合、上記無線トランシーバの動作を中断させて上記第１の無線ネットワークの上記第１の他の装置との混信を回避するステップを更に含むことを特徴とする請求項１５に記載の方法。
【請求項２１】  上記方法は、混信の発生が予測される場合、フィルタリングを使用することを決定して上記第１の他の装置からの混信信号を打ち消すステップを更に含むことを特徴とする請求項１３に記載の方法。
【請求項２２】  上記方法は、上記第１の他の装置の送信信号に従って逆向きに形成されているノッチフィルタを決定するステップを更に含むことを特徴とする請求項２１に記載の方法。
【請求項２３】  上記方法は、混信の発生が予測される場合、上記フィルタリングを使用して上記第１の無線ネットワークの上記第１の他の装置の混信信号を打ち消すステップを更に含むことを特徴とする請求項２１に記載の方法。
【請求項２４】  上記方法は、混信の発生が予測される場合、１つまたはそれ以上の上記第２の他の装置へ予め通知するステップを更に含むことを特徴とする請求項１５に記載の方法。
【請求項２５】  上記方法は、上記第１の他の装置との混信を回避するために選択された１つの装置が動作を中断していること、及び上記第１の他の装置からの混信信号を打ち消すためにフィルタリングを適用していることを、１つまたはそれ以上の上記第２の他の装置に予め通知するステップを更に含むことを特徴とする請求項２４に記載の方法。
【請求項２６】  上記第１の他の装置との混信の発生が予測されることを予め通知するように、上記第２の他の装置の１つに要求するステップを更に含むことを特徴とする請求項１５に記載の方法。
【請求項２７】  装置の集合であって、
第１のプロトコルに従って無線で通信するために設けられている第１の複数の装置と、
第２のプロトコルに従って無線で通信するために設けられている第２の複数の装置と、
を備え、
上記複数の装置の少なくとも１つは、上記第１のプロトコルで送信された信号を受信して上記第１のプロトコルに従って送信されて受信された上記信号の少なくとも１つのシグナリング特性を決定し、決定された少なくとも１つのシグナリング特性に基づいて、上記第１のプロトコルによる通信と上記第２のプロトコルによる通信との混信を予測し、上記第１のプロトコルに従って送信されて受信された上記信号の少なくとも１つのシグナリング特性に基づいて、近接して位置する上記第１の複数の装置の１つまたは複数との上記予測した混信を減少させるようになっていることを特徴とする装置の集合。
【請求項２８】  上記第２の複数の装置の上記少なくとも１つは、上記第１の複数の装置との混信が発生することを予測するロジックを含むことを特徴とする請求項２７に記載の装置の集合。
【請求項２９】  上記第２の複数の装置の上記少なくとも１つは、上記第１の複数の装置との混信の発生が予測される場合、送信動作を中断させて上記第１の複数の装置との混信を回避するロジックを含むことを特徴とする請求項２７に記載の装置の集合。
【請求項３０】  上記第２の複数の装置の上記少なくとも１つは、上記第１の複数の装置との混信の発生が予測される場合、上記第１の複数の装置の混信信号を打ち消すようにフィルタリングを適用するロジックを含むことを特徴とする請求項２７に記載の装置の集合。